(57)【要約】【課題】迅速に遮水シートの敷設を完了する。【解決手段】閉鎖領域１６の岸沿い方向の全幅に渡り、気中に露出する作業地盤２２を造成する。作業地盤２２の造成の際に用いられる土砂２０を、沖寄りＳＯの水深が深い範囲の原地盤１２ａを掘削して得る。作業地盤２２上で、閉鎖領域１６の岸沿い方向の全幅に渡りかつ沖方向ＳＯに所定幅を有する遮水シートの大パネル３０Ｌを形成することで、広い面積を有する大パネル３０Ｌの形成作業の場所を、気中の作業地盤２２上に確保する。大パネル３０Ｌを閉鎖領域１６の水上へと移動させる作業を繰り返すことで、水面１６Ｗを大パネル３０Ｌで覆い、複数の大パネル３０Ｌの隣接辺のみを水上で接合することで、閉鎖領域１６内の水底１６ＳＦを覆うことが可能な面積を有する、一体の遮水シートパネルを形成する。この一体の遮水シートパネルを水底１６ＳＦに沈降させ、水底１６ＳＦを覆う。【選択図】図１
2019100131.tif 000002
【特許請求の範囲】
【請求項１】
岸に隣接する水域を隔壁によって閉鎖し、閉鎖領域内の水底に遮水シートを敷設する方法であって、
前記閉鎖領域の、沖寄りの水深が深い範囲の地盤を掘削して得られる土砂を、岸寄りの水深が浅い範囲に盛り土して、前記閉鎖領域内の岸沿い方向の全幅に渡り気中に露出する作業地盤を造成し、
該作業地盤上で、前記閉鎖領域の岸沿い方向の全幅に渡りかつ沖方向に所定長を有する遮水シートの大パネルを形成した後、該大パネルを前記閉鎖領域の水上へと移動させる作業を繰り返し、
複数の前記大パネルを接合して閉鎖領域内の水底を覆うことを特徴とする遮水シートの敷設方法。
【請求項２】
前記作業地盤上で、遮水シートの原反から、前記閉鎖領域の岸沿い方向の全幅に渡りかつ沖方向に所定長を有する遮水シートの大パネルを形成する、大パネル形成ステップと、
前記大パネルに浮遊手段を固定し、前記閉鎖領域の水位を上昇させて前記作業地盤を水没させ、前記浮遊手段によって前記大パネルを浮上させる、作業地盤水没ステップと、
浮上した前記大パネルを、前記閉鎖領域の岸沿い方向の全幅に渡り前記閉鎖領域の沖方向へと移動させる、大パネル移動ステップと、
前記閉鎖領域の水位を下降させて前記作業地盤を気中に露出させる、作業地盤回復ステップとを含むことを特徴とする請求項１記載の遮水シートの敷設方法。
【請求項３】
前記大パネル形成ステップから作業地盤回復ステップまでの各ステップを、１サイクルとして複数サイクル繰り返し、各サイクルで形成される大パネルを、岸方向から沖方向に向かって隣接する同士、水面上で接合して一体化させる、大パネル接合ステップと、
前記大パネルを水底に沈下させる、大パネル沈下ステップとを含むことを特徴とする請求項２記載の遮水シートの敷設方法。
【請求項４】
前記大パネル形成ステップから作業地盤回復ステップまでの各ステップを、１サイクルとして複数サイクル繰り返し、各サイクルで形成される大パネルを、沖側から岸側に向けて並べることにより、前記閉鎖領域中の水面の全体を複数の大パネルで覆うことを特徴とする請求項２又は３記載の遮水シートの敷設方法。
【請求項５】
前記大パネル形成ステップから作業地盤回復ステップまでの各ステップを、１サイクルとして複数サイクル繰り返し、前記閉鎖領域の岸側から沖側端に至らない中間位置又は沖側端から岸側端に至らない中間位置までの範囲を複数の大パネルで覆い、その大パネルを水面上で接合した後に、一旦水底に沈下させて水底に仮固定する先工程の後、
前記大パネル形成ステップから作業地盤回復ステップまでの各ステップを、１サイクルとして複数サイクル繰り返し、前記閉鎖領域の、前記先工程よりも沖側又は岸側の範囲を複数の大パネルで覆い、岸寄り又は沖寄りの端に位置する大パネルを、前記先工程で水底に仮固定した沖寄り又は岸寄りの端に位置する大パネルと接合させる後工程を含むことを特徴とする請求項２から４のいずれか１項記載の遮水シートの敷設方法。
【請求項６】
前記大パネル形成ステップに先立ち、
前記閉鎖領域に隣接する陸上ヤードにおいて、
前記遮水シートの原反から、前記大パネルよりも前記閉鎖領域の岸沿い方向の幅が狭い単位パネルを形成し、該単位パネルを前記作業地盤上に移動させる作業を繰り返し、
前記作業地盤上に、複数の前記単位パネルを前記閉鎖領域の岸沿い方向の全幅に渡るように並べて、前記作業地盤上で各単位パネルを接合して大パネルを作成し前記作業地盤を覆う、作業地盤被覆ステップを含むことを特徴とする請求項２から５のいずれか１項記載の遮水シートの敷設方法。
【請求項７】
前記作業地盤を覆う大パネルを、更に硬質パネルにより覆うことを特徴とする請求項６記載の遮水シートの敷設方法。
【請求項８】
前記作業地盤を覆う大パネル上に敷砂を施した後、前記硬質パネルにより覆うことを特徴とする請求項７記載の遮水シートの敷設方法。
【請求項９】
前記大パネル形成ステップに先立ち、
前記作業地盤を硬質パネルにより覆うことを特徴とする請求項２から５のいずれか１項記載の遮水シートの敷設方法。
【請求項１０】
前記硬質パネルを除去した後に、前記閉鎖領域に隣接する陸上ヤードにおいて、
前記遮水シートの原反から、前記大パネルよりも前記閉鎖領域の岸沿い方向の幅が狭い単位パネルを形成し、該単位パネルを前記作業地盤上に移動させる作業を繰り返し、
前記作業地盤上に、複数の前記単位パネルを前記閉鎖領域の岸沿い方向の全幅に渡るように並べて、前記作業地盤上で各単位パネルを接合して大パネルを作成し前記作業地盤を覆う、作業地盤被覆ステップを含むことを特徴とする請求項９記載の遮水シートの敷設方法。
【請求項１１】
前記硬質パネルを摩擦低減シートで覆うことを特徴とする請求項７から９のいずれか１項記載の遮水シートの敷設方法。
【請求項１２】
前記大パネル形成ステップから、作業地盤回復ステップまでの各ステップにより作成された大パネルのうち最も岸寄りに位置する大パネルの岸側端縁を、前記作業地盤を覆う大パネルの沖側端縁と接合することを特徴とする請求項６から１１のいずれか１項記載の遮水シートの敷設方法。
【請求項１３】
前記作業地盤形成ステップにおいて、岸側よりも沖側が低くなるように傾斜面を形成することを特徴とする請求項２から１２のいずれか１項記載の遮水シートの敷設方法。
【請求項１４】
前記閉鎖領域が管理型海面処分場の造成地であることを特徴とする請求項１から１３のいずれか１項記載の遮水シートの敷設方法。
【発明の詳細な説明】
【技術分野】
【０００１】
本発明は、遮水シートの敷設方法に関するものである。
【背景技術】
【０００２】
例えば、海底の原地盤が砂質であるような水域に、管理型海面処分場等を造成するケースでは、その水域を隔壁（本説明において、「隔壁」には、鉛直的な構造物のみならず、石材などで法面を形成した上に底面と同様の遮水シートを敷設して側面を遮水・閉鎖する場合も含まれる広い概念である。）によって閉鎖し、閉鎖領域内の水底に遮水シートを敷設する必要がある。この、遮水シートの敷設方法については、従来から、様々な検討がなされている（例えば、特許文献１）。
【先行技術文献】
【特許文献】
【０００３】
【特許文献１】特開２０１２−９２５１２号公報
【発明の概要】
【発明が解決しようとする課題】
【０００４】
遮水シートを敷設する際には、遮水シートの帯状の原反を施工現場に搬入し、原反を広げて、所定幅および所定長、つまり所定の面積となるように原反を接合していく必要がある。しかしながら、上述のような管理型海面処分場のケースでは、遮水シートの敷設面積が広大であり、遮水シートの接合作業には相当の工数と時間とを要している。特に、施工現場の気象条件や海象条件が厳しいような場所では、遮水シートの接合作業の進行を円滑に進めることが困難となり、施工期間や施工コストの増大を招くものであった。
【０００５】
本発明は、上記課題に鑑みてなされたものであり、その目的とするところは、遮水シートの敷設面積が広大であって、施工現場の気象条件や海象条件が厳しいような場所でも、迅速に遮水シートの敷設を完了することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）岸に隣接する水域を隔壁によって閉鎖し、閉鎖領域内の水底に遮水シートを敷設する方法であって、前記閉鎖領域の、沖寄りの水深が深い範囲の地盤を掘削して得られる土砂を、岸寄りの水深が浅い範囲に盛り土して、前記閉鎖領域内の岸沿い方向の全幅に渡り気中に露出する作業地盤を造成し、該作業地盤上で、前記閉鎖領域の岸沿い方向の全幅に渡りかつ沖方向に所定長を有する遮水シートの大パネルを形成した後、該大パネルを前記閉鎖領域の水上へと移動させる作業を繰り返し、複数の前記大パネルを接合して閉鎖領域内の水底を覆うことを特徴とする遮水シートの敷設方法（請求項１）。
【０００８】
本項に記載の遮水シートの敷設方法は、岸に隣接する水域を隔壁によって閉鎖し、閉鎖領域内の水底に遮水シートを敷設する際に、閉鎖領域の岸沿い方向の全幅に渡り気中に露出する作業地盤を造成するものである。この作業地盤の造成の際に用いられる土砂を、沖寄りの水深が深い範囲の地盤を掘削して得ることで、土砂の調達を容易とする。
そして、作業地盤上で、閉鎖領域の岸沿い方向の全幅に渡りかつ沖方向に所定長を有する遮水シートの大パネルを形成することで、広い面積を有する大パネルの形成作業の場所を、気中の作業地盤上に確保するものである。又、作業地盤は閉鎖領域内に残る貯留水の水面に隣接しており、大パネルを水上へと移動させる際の距離を最短にするものである。
そして、大パネルを閉鎖領域の水上へと移動させる作業を繰り返すことで、水面を大パネルで覆い、複数の大パネルの隣接辺のみを水上で接合することで、閉鎖領域内の水底を覆うことが可能な面積を有する一体の遮水シートパネルを形成する。
最後に、この一体の遮水シートパネルを水底に沈降させることで、閉鎖領域内の水底を覆うものである。
なお、後述のごとく、閉鎖領域が管理型海面処分場の造成地である場合には、作業地盤が埋め立てられて、廃棄物の投入嵩が減少する分、土砂を掘削した範囲で閉鎖領域の水底面の深さが増大することから、管理型海面処分場の全体での廃棄物の投入嵩が減少することもない。
【０００９】
（２）上記（１）項において、前記作業地盤上で、遮水シートの原反から、前記閉鎖領域の岸沿い方向の全幅に渡りかつ沖方向に所定長を有する遮水シートの大パネルを形成する、大パネル形成ステップと、前記大パネルに浮遊手段を固定し、前記閉鎖領域の水位を上昇させて前記作業地盤を水没させ、前記浮遊手段によって前記大パネルを浮上させる、作業地盤水没ステップと、浮上した前記大パネルを、前記閉鎖領域の岸沿い方向の全幅に渡り前記閉鎖領域の沖方向へと移動させる、大パネル移動ステップと、前記閉鎖領域の水位を下降させて前記作業地盤を気中に露出させる、作業地盤回復ステップとを含む遮水シートの敷設方法（請求項２）。
【００１０】
本項に記載の遮水シートの敷設方法は、前記作業地盤上で実施される各ステップに関するものである。
まず、大パネル形成ステップにおいて、作業地盤上で、遮水シートの原反から、閉鎖領域の岸沿い方向の全幅に渡りかつ沖方向に所定長を有する遮水シートの大パネルを形成することで、広い面積を有する大パネルの形成作業を、気中の作業地盤上で行うものである。
又、作業地盤水没ステップでは、作業地盤上で形成した大パネルに浮遊手段を固定し、閉鎖領域の水位を上昇させて作業地盤を水没させることで、浮遊手段の浮力を利用して大パネルを水面に浮上させる。
続く大パネル移動ステップでは、閉鎖領域の岸沿い方向の全幅に渡り広がる大パネルの、作業地盤上から大パネルを設置すべき場所への移動を、大パネルが水面に浮上した状態で行うものである。
そして、大パネルが作業地盤上から沖側へと移動した後は、作業地盤回復ステップにおいて閉鎖領域の水位を下降させ、作業地盤を気中に露出させることで、再び、各大パネルを形成するための形成作業の場所を、気中の作業地盤上に確保するものである。
なお、閉鎖領域の水位を増減させるために、閉鎖領域外の水域から閉鎖領域内に水を汲み入れ、若しくは、閉鎖領域内から閉鎖領域外の水域へと水を汲み出すポンプ及び配管を設置することとする。
【００１１】
（３）上記（２）項において、前記大パネル形成ステップから作業地盤回復ステップまでの各ステップを、１サイクルとして複数サイクル繰り返し、各サイクルで形成される大パネルを、岸方向から沖方向に向かって隣接する同士、水面上で接合して一体化させる、大パネル接合ステップと、前記大パネルを水底に沈下させる、大パネル沈下ステップとを含む遮水シートの敷設方法（請求項３）。
本項に記載の遮水シートの敷設方法は、閉鎖領域の水域で実施される各ステップに関するものである。
まず、大パネル接合ステップにおいて、大パネル形成ステップから作業地盤回復ステップまでの各ステップを、１サイクルとして複数サイクル繰り返し、各サイクルで形成される大パネルを、岸方向から沖方向に向かって隣接する同士、水面上で接合して一体化させることで、閉鎖領域内の水底を覆うことが可能な面積を有する一体の遮水シートパネルを形成するものである。
そして、大パネル沈下ステップにおいて、一体の遮水シートパネルを水底に沈下させることで、閉鎖領域内の水底を覆うものである。
【００１２】
（４）上記（２）（３）項において、前記大パネル形成ステップから作業地盤回復ステップまでの各ステップを、１サイクルとして複数サイクル繰り返し、各サイクルで形成される大パネルを、沖側から岸側に向けて並べることにより、前記閉鎖領域中の水面の全体を複数の大パネルで覆う遮水シートの敷設方法（請求項４）。
本項に記載の遮水シートの敷設方法は、上記各サイクルで形成される大パネルを、沖側から岸側に向けて並べ、閉鎖領域中の水面の全体を複数の大パネルで覆うものである。そして、前述のごとくこれらを一体化して水底に沈下させることで、閉鎖領域内の水底を覆うものである。
【００１３】
（５）上記（２）から（４）項において、前記大パネル形成ステップから作業地盤回復ステップまでの各ステップを、１サイクルとして複数サイクル繰り返し、前記閉鎖領域の岸側から沖側端に至らない中間位置又は沖側端から岸側端に至らない中間位置までの範囲を複数の大パネルで覆い、その大パネルを水面上で接合した後に、一旦水底に沈下させて水底に仮固定する先工程の後、前記大パネル形成ステップから作業地盤回復ステップまでの各ステップを、１サイクルとして複数サイクル繰り返し、前記閉鎖領域の、前記先工程よりも沖側又は岸側の範囲を複数の大パネルで覆い、岸寄り又は沖寄りの端に位置する大パネルを、前記先工程で水底に仮固定した沖寄り又は岸寄りの端に位置する大パネルと接合させる後工程を含む遮水シートの敷設方法（請求項５）。
【００１４】
本項に記載の遮水シートの敷設方法は、閉鎖領域内の水底を覆うことが可能な面積を有する一体の遮水シートパネルを形成する過程を複数の工期に分けて行い、最終的に閉鎖領域内の水底を覆うものである。
まず、先工程では閉鎖領域の岸側から沖側端に至らない中間位置又は沖側端から岸側端に至らない中間位置までの範囲を複数の大パネルで覆い、その大パネルを水面上で接合した後に、一旦水底に沈下させて水底に仮固定する。この状態で、その後の工期の実施の時期を、必要に応じて繰り延べるものである。又、接合済みの大パネルを一旦水底に沈めることで、大パネルが水面上に位置することに起因する破損（例えば、強風や波でシワが寄ることや固定しているシート端部が引き裂かれるような事象が挙げられる。）を防ぐものである。そして、所定の時間経過後に後工程を実施することで、最終的に閉鎖領域内の水底を覆うことが可能な面積を有する一体の遮水シートパネルを形成する。
なお、後工程について複数回行うことで、工期を三工程以上に分けて行うこととしてもよく、この場合には、各工程の終盤において、一旦、接合済みの大パネルを水底に沈下させて水底に仮固定することとする。
【００１５】
（６）上記（２）から（５）項において、前記大パネル形成ステップに先立ち、前記閉鎖領域に隣接する陸上ヤードにおいて、前記遮水シートの原反から、前記大パネルよりも前記閉鎖領域の岸沿い方向の幅が狭い単位パネルを形成し、該単位パネルを前記作業地盤上に移動させる作業を繰り返し、前記作業地盤上に、複数の前記単位パネルを前記閉鎖領域の岸沿い方向の全幅に渡るように並べて、前記作業地盤上で各単位パネルを接合して大パネルを作成し前記作業地盤を覆う、作業地盤被覆ステップを含む遮水シートの敷設方法（請求項６）。
【００１６】
本項に記載の遮水シートの敷設方法は、上記（２）から（５）項に挙げられた、大パネル形成ステップから作業地盤回復ステップまでの各ステップを、１サイクルとして複数サイクル繰り返す前段階として、作業地盤を予め大パネルで覆うものである。すなわち、閉鎖領域に隣接する陸上ヤードにおいて、遮水シートの原反から、大パネルよりも閉鎖領域の岸沿い方向の幅が狭い単位パネルを形成して、この単位パネルを、複数、作業地盤上で閉鎖領域の岸沿い方向の全幅に渡るように並べる。そして、作業地盤上で各単位パネルの隣接辺同士を接合して大パネルを形成することで、作業地盤を大パネルで覆うものとなる。
なお、陸上ヤードには、遮水シートの原反から一定幅の帯状のシートを広げて、それらを複数並べ隣接辺同士の接合する際の、加圧溶着に適した硬質パネルが敷設されている。又、陸上ヤードは単位パネルと同等ないしそれより若干広い面積に形成されていればよい。
【００１７】
（７）上記（６）において、前記作業地盤を覆う大パネルを、更に硬質パネルにより覆う遮水シートの敷設方法（請求項７）。
本項に記載の遮水シートの敷設方法は、作業地盤を覆う大パネル上に、硬質パネルを設置することで、上記（２）項に挙げられた大パネル形成ステップに先立ち、遮水シートの原反から、閉鎖領域の岸沿い方向の全幅に渡りかつ沖方向に所定長を有する遮水シートの大パネルを形成する際に必要となる、加圧溶着に適した硬質パネルで、作業地盤を覆っておくものである。硬質パネルが作業地盤を覆う大パネル上に設置されることで、大パネル形成ステップでは、大パネル相当の広範囲にわたる硬質パネル上で、遮水シートの原反から、閉鎖領域の岸沿い方向の全幅に渡りかつ沖方向に所定長を有する遮水シートの大パネルを形成するものである。作業地盤上に硬質パネルが設置されている限り、作業地盤上での遮水シートの接合作業は、閉鎖領域の岸沿い方向の全幅に渡り効率的に行われることとなる。
なお、作業地盤を覆う大パネルを更に硬質パネルにより覆う際に、大パネルの沖側端縁に沿って所定長だけ露出させた状態とすれば、この露出部分が後のステップにおいて形成される、隣接する大パネルとの接合代として用いることが可能となる。
【００１８】
（８）上記（７）項において、前記作業地盤を覆う大パネル上に敷砂を施した後、前記硬質パネルにより覆う遮水シートの敷設方法（請求項８）。
本項に記載の遮水シートの敷設方法は、作業地盤を覆う大パネル上に敷砂（本説明において、「敷砂」は、砕石や土等調達可能な敷き詰め材料を含む広い概念である。）を施した後、硬質パネルにより大パネルを覆うことで、この大パネルが硬質パネルによって破損されることを、敷き砂により回避するものとなる。
【００１９】
（９）上記（２）から（５）項において、前記大パネル形成ステップに先立ち、前記作業地盤を硬質パネルにより覆う遮水シートの敷設方法。（請求項９）。
本項に記載の遮水シートの敷設方法は、作業地盤を覆う大パネル上に、硬質パネルを設置することで、上記（２）項に挙げられた大パネル形成ステップにおいて、遮水シートの原反から、閉鎖領域の岸沿い方向の全幅に渡りかつ沖方向に所定長を有する遮水シートの大パネルを形成する際に必要となる、加圧溶着に適した硬質パネルで作業地盤を覆っておくものである。そして、大パネル形成ステップでは、大パネル相当の広範囲にわたる硬質パネル上で、遮水シートの原反から、閉鎖領域の岸沿い方向の全幅に渡りかつ沖方向に所定長を有する遮水シートの大パネルを形成するものである。作業地盤上に硬質パネルが設置されている限り、作業地盤上での遮水シートの接合作業は、閉鎖領域の岸沿い方向の全幅に渡り効率的に行われることとなる。
【００２０】
（１０）上記（９）項において、前記硬質パネルを除去した後に、前記閉鎖領域に隣接する陸上ヤードにおいて、前記遮水シートの原反から、前記大パネルよりも前記閉鎖領域の岸沿い方向の幅が狭い単位パネルを形成し、該単位パネルを前記作業地盤上に移動させる作業を繰り返し、前記作業地盤上に、複数の前記単位パネルを前記閉鎖領域の岸沿い方向の全幅に渡るように並べて、前記作業地盤上で各単位パネルを接合して大パネルを作成し前記作業地盤を覆う、作業地盤被覆ステップを含む遮水シートの敷設方法。（請求項１０）。
本項に記載の遮水シートの敷設方法は、前記作業地盤上から硬質パネルを除去した後、具体的には、大パネル形成ステップから作業地盤回復ステップまでの各ステップを、１サイクルとして複数サイクル繰り返し、各サイクルで形成される大パネルを、沖側から岸側に向けて並べることにより、前記閉鎖領域中の水面の全体を複数の大パネルで覆った後に、作業地盤を大パネルで覆うものである。その手順及び作用は上記（６）項、すなわち、大パネル形成ステップから作業地盤回復ステップまでの各ステップを１サイクルとして複数サイクル繰り返す前段階として、作業地盤を予め大パネルで覆う場合と同様である。
【００２１】
（１１）上記（７）から（９）項において、前記硬質パネルを摩擦低減シートで覆う遮水シートの敷設方法（請求項１１）。
本項に記載の遮水シートの敷設方法は、硬質パネルを摩擦低減シートで覆うことで、大パネル相当の広範囲にわたる硬質パネル上で、遮水シートの原反から、閉鎖領域の岸沿い方向の全幅に渡りかつ沖方向に所定長を有する遮水シートの大パネルを形成する際の、遮水シートの位置合わせを容易とし、作業性を高めるものである。
【００２２】
（１２）上記（６）から（１１）項において、前記大パネル形成ステップから、作業地盤回復ステップまでの各ステップにより作成された大パネルのうち最も岸寄りに位置する大パネルの岸側端縁を、前記作業地盤を覆う大パネルの沖側端縁と接合する遮水シートの敷設方法（請求項１２）。
本項に記載の遮水シートの敷設方法は、大パネル形成ステップから、作業地盤回復ステップまでの各ステップにより作成された大パネルのうち、最も岸寄りに位置する大パネルの岸側端縁を、作業地盤を覆う大パネルの沖側端縁と接合することで、最終的に、閉鎖領域全体のうち、水底及び作業地盤に対し、遮水シートの敷設が必要な範囲を覆うことが可能な面積を有する、一体の遮水シートパネルを形成するものである。
【００２３】
（１３）上記（２）から（１２）項の前記作業地盤形成ステップにおいて、岸側よりも沖側が低くなるように傾斜面を形成する遮水シートの敷設方法（請求項１３）。
本項に記載の遮水シートの敷設方法は、作業地盤形成ステップにおいて、岸側よりも沖側が低くなるように傾斜面を形成することで、大パネル形成ステップにおいて、作業地盤上で、遮水シートの原反から、閉鎖領域の岸沿い方向の全幅に渡りかつ沖方向に所定長を有する遮水シートの大パネルを形成する際に、原反の巻き出しを、作業地盤の傾斜面を利用して円滑に行うものである。
【００２４】
（１４）上記（１）から（１３）項において、前記閉鎖領域が管理型海面処分場の造成地である遮水シートの敷設方法（請求項１４）。
本項に記載の遮水シートの敷設方法は、管理型海面処分場の造成地において、上記（１）から（１３）項の作用が得られるものである。
【発明の効果】
【００２５】
本発明はこのように構成したので、遮水シートの敷設面積が広大であって、施工現場の気象条件や海象条件が厳しいような場所でも、迅速に遮水シートの敷設を完了することが可能となる。
【図面の簡単な説明】
【００２６】
【図１】本発明の実施の形態に係る、管理型海面処分場等を造成する際の、遮水シートの施工方法を説明するための、閉鎖領域周辺部の断面図である。
【図２】図１に示される閉鎖領域周辺部の鳥観図であり、作業地を覆うための単位パネルを形成するステップを示すものである。
【図３】図２に続き、作業地盤を大パネルで覆う作業地盤被覆ステップを示す鳥観図である。
【図４】図３に続き、作業地盤上で大パネルを作成する大パネル作成ステップを示す鳥観図である。
【図５】図４に続き、作業地盤を水没させ、浮遊手段を固定した大パネルを浮上させる、作業地盤水没ステップを示す鳥観図である。
【図６】図５に続き、浮上した大パネルを、閉鎖領域の岸沿い方向の全幅に渡り閉鎖領域の沖方向へと移動させる、大パネル移動ステップを示す鳥観図である。
【図７】図６に続き、複数の大パネルを、沖側から岸側に向けて並べることにより、閉鎖領域中の水面を複数の大パネルで覆い、隣接する大パネル同士を接合して一体化させる、大パネル接合ステップを示す鳥観図である。
【図８】図７に続き、一体の遮水シートパネルを水底に沈下させる大パネル沈下ステップを示す鳥観図である。
【図９】図７に続き、一体の遮水シートパネルが水底に敷設された状態を示す鳥観図である。
【図１０】本発明の実施の形態に係る、管理型海面処分場等を造成する際に用いられる遮水シートの構造を示しており、（ａ）は三層一体型の断面図を、（ｂ）は五層一体型の断面図を示すものである。
【図１１】（ａ）は本発明の実施の形態に係る、大パネルの接合部分を模式的に示した平面図であり、（ｂ）は比較例として単位パネルを用いる場合の接合部分を模式的に示した平面図である。
【発明を実施するための形態】
【００２７】
以下、本発明を実施するための最良の形態を添付図面に基づいて説明する。図中において、沖側（沖寄り）をＳＯと、岸側（岸寄り）をＳＬとする。又、閉鎖領域の岸沿い方向をＡＳとする。
本発明の実施の形態では、本発明に係る遮水シートの敷設方法を、図１に示される管理型海面処分場１０を造成する際の、遮水シートの施工に用いる場合を例示して説明する。
まず、岸に隣接する水域の原地盤１２に矢板等の隔壁１４を打設して当該水域を閉鎖する。なお、隔壁１４によって区画される閉鎖領域１６は、図１に示されるように、海岸線よりも沖側ＳＯに設定される場合には、作業性を確保するために、閉鎖領域１６よりも陸寄りＳＬの水域１８についても、図示のごとく埋め立てを行い陸化される。
【００２８】
そして、閉鎖領域１６の、沖寄りＳＯの水深が深い範囲の原地盤１２ａを掘削して得られる土砂２０を、岸寄りＳＬの水深が浅い範囲に盛り土して、閉鎖領域の岸沿い方向の全幅に渡り気中に露出する作業地盤２２を造成する。
この作業地盤２２上で、遮水シートの原反３０（図２参照）から、閉鎖領域１６の岸沿い方向（図１の紙面と直交する方向）の全幅に渡りかつ沖方向ＳＯに所定長を有する遮水シートの大パネル３０Ｌを形成した後、該大パネル３０Ｌを閉鎖領域１６の水上（水面）１６Ｗへと移動させる作業を繰り返す。
そして、複数の大パネル３０Ｌ１・・・３０Ｌｎを接合して（図８参照）、閉鎖領域１６内の水底１６ＳＦ及び作業地盤２２を覆うものである。
【００２９】
なお、作業地盤２２は、図１に示されるように水平面でもよいが、図２から図８に示されるように、岸側ＳＬよりも沖側ＳＯが低くなるように、傾斜面を形成することとしてもよい。後者の場合には、後述する大パネル形成ステップ（図４参照）において、作業地盤２２上で、遮水シートの原反３０から、閉鎖領域１６の岸沿い方向ＡＳの全幅に渡りかつ沖方向ＳＯに所定長を有する遮水シートの大パネル３０Ｌ１・・・３０Ｌｎを形成する際に、帯状の遮水シートがロール状となった原反３０を広げる作業を、作業地盤２２の傾斜面を利用して円滑に行うことができる。なお、図示は省略するが、原反３０から帯状の遮水シートを広げる際に、ロール状の原反３０を架台に載せ、原反３０の軸芯を固定した状態で、帯状のシート端部を引き出して広げる方法とすれば、帯状のシートの作業地盤２２との摩擦を低減できる。また、帯状のシート端部を岸側に固定した状態で、原反３０を軸芯ごと転がして広げる方法とすれば、帯状のシートの自重を利用して展張できる。
【００３０】
続いて、図２から図８を参照しながら、本発明の実施の形態に係る遮水シートの敷設方法の全工程を、より具体的に説明する。
（作業地盤被覆ステップ）
図２に示されるように、閉鎖領域１６に隣接する陸上ヤード２４において、遮水シートの原反３０から、一定幅の帯状のシート３０Ｓを繰り出して広げて接続し、一定長の単位パネル３０Ｍを形成する。この、陸上ヤード２４での作業は、原則として、ロール状の原反３０を架台に載せシート端部を引き出して広げる方法を採用する。又、単位パネル３０Ｍの形成場所は陸上ヤード２４でなくても離れた工場等の敷地にて形成されたものを運搬してきてもよい。単位パネル３０Ｍは、大パネル３０Ｌよりも閉鎖領域１６の岸沿い方向ＡＳの幅が狭いものである。具体例としては、閉鎖領域１６の岸沿い方向ＡＳの幅が、大パネル３０Ｌで３００ｍ程度のとき、原反３０および繰り出されたシート３０Ｓの幅は２ｍ程度、単位パネル３０Ｍの幅は６ｍ〜３０ｍ程度とする。また原反３０および繰り出されたシート３０Ｓと単位パネル３０Ｍおよび大パネル３０Ｌの所定長は８ｍから１００ｍ程度とする。
陸上ヤード２４には、遮水シートの原反３０から一定幅の帯状のシート３０Ｓを広げて、それらを複数並べ隣接辺同士の接合する際の、加圧溶着に適した、硬質パネルが敷設されている。硬質パネルとしては、鉄板等が用いられる。又、陸上ヤード２４は、単位パネル３０Ｍと同等ないしそれより若干広い面積に形成されていればよい。
そして、単位パネル３０Ｍを陸上ヤード２４上で作成した後に、クレーン等を利用して作業地盤２２上に移動させる。この単位パネル３０Ｍの作成及び移動の作業を繰り返し、図３に示されるように、作業地盤２２上に、複数の単位パネル３０Ｍを閉鎖領域１６の岸沿い方向ＡＳの全幅に渡るようにして並べる。更に、作業地盤２２上で各単位パネル３０Ｍを接合して、大パネル３０Ｌを作成し、作業地盤２２の全面を覆う。
【００３１】
続いて、作業地盤２２を覆う大パネル３０Ｌ上に敷砂を施した後、敷砂を介して、図４に示されるように大パネル３０Ｌを硬質パネル２６により覆う。この硬質パネル２６としては、陸上ヤード２４に敷設された硬質パネルと同等のものを、閉鎖領域１６の岸沿い方向ＡＳの全幅に渡るように複数枚並べ、大パネル３０Ｌを覆うようにする。なお、図４においては、便宜上、複数の硬質パネルの境界線の図示を省略している。更に、硬質パネル２６を、摩擦低減シート２７（図５の右下図にのみ示す）で覆う。摩擦低減シート２７としてはポリエチレンや塩化ビニル等の高分子シート等が用いられる。
又、作業地盤２２を覆う大パネル３０Ｌを、更に硬質パネル２６により覆う際に、大パネル３０Ｌの沖側ＳＯの端縁に沿って所定長だけ大パネル３０Ｌを露出させた状態とすれば、この露出部分が後のステップにおいて形成される、隣接する大パネル３０Ｌｎとの接合代として用いることが可能となる。
【００３２】
（大パネル形成ステップ）
続いて、図４に示されるように、作業地盤上２２で、遮水シートの原反３０から、閉鎖領域１６の岸沿い方向ＡＳの全幅に渡りかつ沖方向ＳＯに所定長を有する遮水シートの大パネル３０Ｌ１を形成する。
本ステップでは、閉鎖領域１６の岸沿い方向ＡＳの全幅に渡る硬質パネル２６上で、遮水シートの原反３０から、直接的に（単位パネル３０Ｍを作成する工程を踏むことなく）大パネル３０Ｌ１を作成する。
（作業地盤水没ステップ）
図５に示されるように、大パネル３０Ｌ１にフロート等の浮遊手段２８を固定し、閉鎖領域１６の水位を上昇させて作業地盤２２を水没させる。図５の右下図に示されるように、水位ＬＷＬは上述した大パネル形成ステップにおける水位（低水位）であり、水位ＨＷＬは、本ステップにおける水位（高水位）である。このように、本ステップでは水面１６Ｗの水面レベルを上昇させることで（上向矢印参照）、浮遊手段２８の浮力を利用して硬質パネル２６上の大パネル３０Ｌ１を浮上させる。なお、便宜上、図５の右下図には、第パネル３０Ｌ１が浮上した様子を仮想戦で示している。又、追って説明する「地盤回復ステップ」での水位の変化も示している。
【００３３】
（大パネル移動ステップ）
閉鎖領域１６の水位を上昇させることで、水没した作業地盤２２の上方に浮上した大パネル３０Ｌ１を、閉鎖領域１６の岸沿い方向ＡＳの全幅に渡り、閉鎖領域１６の沖方向ＳＯへと移動させる。この移動作業には、適宜、クレーン、ウィンチ、船舶による、沖方向Ｓへの大パネル３０Ｌ１けん引が行われる。
なお、作業地盤上２２で形成された一枚目の大パネル３０Ｌ１は、遮水シートの敷設作業を１工期で完了する場合には、図６に示すように、この一枚目の大パネル３０Ｌ１を、閉鎖領域１６の沖側端部まで移動させる。
（作業地盤回復ステップ）
閉鎖領域１６の水位を、水位ＨＷＬから水位ＬＷＬへと再び下降させて、作業地盤２２を気中に露出させる（図５の右下図の下向矢印参照。）。
【００３４】
（大パネル接合ステップ）
更に、大パネル形成ステップから作業地盤回復ステップまでの各ステップ（図４〜図６）を、１サイクルとして複数サイクル繰り返し、図７に示されるように、各サイクルで形成される大パネル３０Ｌ１・・・３０Ｌｎを、岸方向ＬＳから沖方向ＳＯに向かって移動させていく。そして、図８に示されるように、沖方向ＳＯから岸方向ＬＳに向かって隣接する大パネル３０Ｌ１・・・３０Ｌｎ（図示の例ではｎ＝６）同士を、水面１６Ｗ上で接合して一体化させる。
水面１６Ｗ上での大パネルＬ３０Ｌ１・・・３０Ｌ６の接合作業は、台船（例えば台船の幅２ｍ程度、長さ１０ｍから２０ｍ程度）を水面１６Ｗに浮かべ、この台船を各大パネル３０Ｌ１・・・３０Ｌ６の隣接辺に沿って移動させながら、閉鎖領域１６の岸沿い方向ＡＳの全幅に渡り接合を行う。又、水面１６Ｗ上での各大パネル３０Ｌ１・・・３０Ｌ６の接合作業は、大パネル移動ステップによって、既に送り込まれた大パネル３０Ｌｎと隣接する位置に新たな大パネル３０Ｌｎ＋１を移動させる度に行われ、かつ、大パネル形成ステップにおける、作業地盤上２２での大パネル３０Ｌｎの形成作業と並行して行われる。
そして、図８に示されるように、閉鎖領域１６中の水面１６Ｗの全体を複数の大パネル３０Ｌ・・・３０Ｌ６で覆う。
【００３５】
その後、大パネル形成ステップから作業地盤回復ステップまでの、各ステップにより作成された大パネルのうち最も岸寄りに位置する大パネル３０Ｌ６の岸側ＳＬの端縁を、作業地盤２２を覆う大パネル３０Ｌの沖側ＳＯの端縁と接合し、遮水シートの敷設が必要な範囲を覆うことが可能な面積を有する、一体の遮水シートパネル３０Ｕを形成する。
かかる最後の接合作業は、作業地盤２２を覆う大パネル３０Ｌを更に覆う硬質パネル２６および摩擦低減シート２７を除去した後に行う。
なお、前述のごとく、作業地盤２２を覆う大パネル３０Ｌを更に硬質パネル２６により覆う際に、大パネル３０Ｌの沖側端縁に沿って所定長だけ大パネル３０Ｌを露出させた状態とした場合には、この露出部分が隣接する大パネル３０Ｌとの接合代となることから、硬質パネル２６および摩擦低減シート２７を除去する前に、又は、硬質パネル２６および摩擦低減シート２７を除去することなく、接合作業を行うことができる。
【００３６】
（大パネル沈下ステップ）
最後に、図８に示されるように浮遊手段２８を取り外し、図９に示されるように、一体の遮水シートパネル３０Ｕを水底１６ＳＦに沈下させることで、閉鎖領域１６内の水底１６ＳＦ及び作業地盤２２を、一体の遮水シートパネル３０Ｕで覆うものである。
なお、本ステップは、一体の遮水シートパネル３０Ｕの形成後に限らず、大パネル３０Ｌ１・・・３０Ｌｎがある程度の枚数だけ接合された時点で、沖寄りＳＯの大パネル３０Ｌ１・・・３０Ｌｎから順次浮遊手段２８を取り外して、３０Ｌ１・・・３０Ｌｎを順次沈降させてもよい。この場合には、取り外した浮遊手段２８を後工程に回して再利用することにより、浮遊手段２８の必要数を削減することが可能となる。
【００３７】
ところで、上記実施形態では、作業地盤２２を覆う大パネル３０Ｌを最初に形成し、その後に、水底１６ＳＦを覆う大パネル３０Ｌ１・・・３０Ｌｎを形成したが、作業地盤２２を覆う大パネル３０Ｌを最後に形成してもよい。この場合の手順は以下のとおりである。
大パネル形成ステップに先立ち、作業地盤２２を硬質パネル２６および摩擦低減シート２７により直接的に覆い、この摩擦低減シート２７上で大パネル３０Ｌ１・・・３０Ｌｎを形成する。そして、大パネル３０Ｌｎに係る形成サイクルの、作業地盤回復ステップ実施の後、硬質パネル２６および摩擦低減シート２７を除去する。
その後、上述した作業地盤被覆ステップと同様に、図２に示されるように、閉鎖領域１６に隣接する陸上ヤード２４において、遮水シートの原反３０から、一定幅の帯状のシート３０Ｓを繰り出して広げ、単位パネル３０Ｍを形成する。または工場にて単位パネル３０Ｍを形成し運搬する。そして、単位パネル３０Ｍをクレーン等を利用して作業地盤２２上に移動させる。この、単位パネル３０Ｍの作成及び移動の作業を繰り返し、図３に示されるように、作業地盤２２上に、複数の単位パネル３０Ｍを閉鎖領域１６の岸沿い方向ＡＳの全幅に渡るように並べる。更に、作業地盤２２上で各単位パネル３０Ｍを接合して、大パネル３０Ｌを作成し、作業地盤２２を覆う。そして、最後に作成した大パネル３０Ｌの沖側ＳＯの端縁と、最も岸寄りに位置する大パネル３０Ｌ６の岸側ＳＬの端縁とを接合する。
【００３８】
更に、上記の実施形態では、硬質パネル２６をおよび摩擦低減シート２７を回収することを前提として、作業地盤２２を覆う大パネル３０Ｌを最初に形成し、この大パネル３０Ｌの上に硬質パネル２６および摩擦低減シート２７を重ねて、硬質パネル２６および摩擦低減シート２７を大パネル３０Ｌ１・・・３０Ｌｎを形成するための作業ヤードとした。
しかしながら、硬質パネル２６を回収しない場合には、大パネル形成ステップに先立ち、作業地盤２２を硬質パネル２６および摩擦低減シート２７により覆い、このおよび摩擦低減シート２７上で大パネル３０Ｌ１・・・３０Ｌｎを形成し、最後に大パネル３０Ｌを作成して、大パネル３０Ｌにより硬質パネル２６覆ったまま、大パネル３０Ｌと大パネル３０Ｌｎとを接続してもよい。
【００３９】
なお、図１０には、遮水シートの原反３０から巻き出された一定幅の帯状のシート３０Ｓの断面図が示されている。本発明の実施の形態に用いられる遮水シートは、図１０（ａ）に示されるように、遮水シート３０ａの表裏面を保護マット３０ｂで被覆した、三層一体型であっても良く、図１０（ｂ）に示されるように、二枚の遮水シート３０ａの表裏面および中間を保護マット３０ｂで被覆した、五層一体型であっても良い。これらは、施工現場の条件等に応じて、適宜選択するものである。遮水シート３０ａは、塩化ビニル製、又はポリエチレン製、又はその他の高分子材が用いられた材質からなり、保護マット３０ｂは、長繊維不織布や短繊維不織布や反毛フエルト等の材質からなり、各々の厚みや重さは様々であってよい。
【００４０】
さて、上記構成をなす、本発明の実施の形態によれば、次のような作用効果を奏するものである。
即ち、本発明の実施の形態に係る遮水シートの敷設方法によれば、岸に隣接する水域を隔壁１４によって閉鎖し、閉鎖領域１６内の水底１６ＳＦに遮水シートを敷設する際に、閉鎖領域１６の岸沿い方向ＡＳの全幅に渡り、気中に露出する作業地盤２２を造成するものである。この作業地盤２２の造成の際に用いられる土砂２０を、沖寄りＳＯの水深が深い範囲の地盤を掘削して得ることで、土砂の調達を容易とすることができる。
そして、作業地盤２２上で、閉鎖領域１６の岸沿い方向ＡＳの全幅に渡りかつ沖方向ＳＯに所定長を有する遮水シートの大パネル３０Ｌを形成することで、広い面積を有する大パネル３０Ｌの形成作業の場所を、遮水シートの原反３０の接合作業が短時間で実施できる気中の作業地盤２２上に確保することが可能となる。又、作業地盤２２は閉鎖領域１６内に残る貯留水の水面１６Ｗに隣接しており、大パネル３０Ｌを水面１６Ｗ上へと移動させる際の距離を、最短にすることができる。
そして、大パネル３０Ｌを閉鎖領域１６の水上へと移動させる作業を繰り返すことで、水面１６Ｗを大パネル３０Ｌで覆い、接合作業に時間のかかる水上で接合を複数の大パネル３０Ｌ１・・・３０Ｌｎの隣接辺のみとすることで、閉鎖領域１６内の水底１６ＳＦを覆うことが可能な面積を有する、一体の遮水シートパネル３０Ｕを形成することができる。
最後に、この一体の遮水シートパネル３０Ｕを水底１６ＳＦに沈降させることで、閉鎖領域１６内の水底１６ＳＦを覆うことができる。
なお、図１には、管理型海面処分場１０の、埋め立て高１０ｈが模式的に示されているが、作業地盤２２が埋め立てられて、廃棄物の投入嵩が減少する分、土砂２０を掘削した範囲で閉鎖領域１６の水底面１６ＳＦの深さが増大することから、管理型海面処分場の全体での廃棄物の投入嵩が、減少することもない。
【００４１】
より具体的には、大パネル形成ステップにおいて、作業地盤２２上で、遮水シートの原反３０から、閉鎖領域１６の岸沿い方向ＡＳの全幅に渡りかつ沖方向ＳＯに所定長を有する遮水シートの大パネル３０Ｌを形成することで、広い面積を有する大パネル３０Ｌの形成作業を、気中の作業地盤２２上で行うものである。
又、作業地盤水没ステップでは、作業地盤２２上で形成した大パネル３０Ｌ１・・・３０Ｌｎに浮遊手段２８を固定し、閉鎖領域１６の水位を上昇させて作業地盤２２を水没させることで、浮遊手段２８の浮力を利用して大パネル３０Ｌ１・・・３０Ｌｎを水面に浮上させることができる。
続く、大パネル移動ステップでは、閉鎖領域１６の岸沿い方向ＡＳの全幅に渡り広がる大パネル３０Ｌの、作業地盤２２上から大パネル３０Ｌ１・・・３０Ｌｎを設置すべき場所への移動を、大パネル３０Ｌ１・・・３０Ｌｎが水面１６Ｗに浮上した状態で行うことが可能となる。したがって、広い面積を有する大パネル３０Ｌ１・・・３０Ｌｎの移動作業を、容易に行うことが可能となる。
そして、大パネル３０Ｌ１・・・３０Ｌｎが作業地盤２２の上から沖側ＳＯへと移動した後は、作業地盤回復ステップにおいて、閉鎖領域１６の水位を下降させ、作業地盤２２を気中に露出させることで、再び、各大パネル３０Ｌ１・・・３０Ｌｎを形成するための形成作業の場所を、気中の作業地盤２２上に確保することができる。
なお、作業地盤水没ステップ及び作業地盤回復ステップにおいて、閉鎖領域１６の水位を増減させるために、図１に示すように、閉鎖領域１６外の水域から閉鎖領域１６内に水を汲み入れ、若しくは、閉鎖領域１６内から閉鎖領域１６外の水域へと水を汲み出す、ポンプ４０及び配管４２を、閉鎖領域１６又はその近傍に設置することとする。
【００４２】
又、大パネル接合ステップにおいて、大パネル形成ステップから作業地盤回復ステップまでの各ステップを、１サイクルとして複数サイクル繰り返し、各サイクルで形成される大パネル３０Ｌ１・・・３０Ｌｎを、沖側ＳＯから岸側ＳＬに向けて並べ、閉鎖領域１６中の水面１６ＳＦの全体を、複数の大パネル３０Ｌ１・・・３０Ｌｎで覆うものである。そして、岸方向ＳＯから沖方向ＳＬに向かって隣接する同士、水面上で接合して一体化させることで、閉鎖領域１６内の水底を覆うことが可能な面積を有する、一体の遮水シートパネル３０Ｕを形成するものである。
そして、大パネル沈下ステップにおいて、一体の遮水シートパネル３０Ｕを水底に沈下させることで、閉鎖領域１６内の水底１６ＳＦ及び作業地盤２２を覆うことができる。
【００４３】
なお、本発明の実施の形態では、閉鎖領域１６内の水底を覆うことが可能な面積を有する一体の遮水シートパネルを形成する過程を複数の工期に分けて行い、最終的に閉鎖領域内の水底の全面を覆うこととしてもよい。例えば、一年のうちで気象条件の厳しい時期を跨いで、工期を二期以上に分ける必要がある場合が挙げられる。
この場合には、まず、先工程では閉鎖領域１６の岸側ＳＬから沖側ＳＯ端に至らない中間位置までの範囲を複数の大パネル３０Ｌ１・・・３０Ｌｎで覆い、その大パネルを水面１６Ｗ上で接合した後に、一旦水底１６ＳＦに沈下させて水底１６ＳＦに仮固定する。この状態で、その後の工期の実施の時期を、必要に応じて繰り延べるものである。又、接合済みの大パネル３０Ｌ１・・・３０Ｌｎを一旦水底に沈めることで、大パネル３０Ｌ１・・・３０Ｌｎが、水面上に仮係留されることに起因する破損を防ぐものである。そして、所定の時間経過後に後工程を実施することで、最終的に閉鎖領域１６内の水底１６ＳＦを覆うことが可能な面積を有する、一体の遮水シートパネル３０Ｕを形成することができる。
なお、工期を三工期以上に分けて行うこととしてもよく、この場合には、後工程の終盤において、先工程と同様に、一旦、接合済みの大パネル３０Ｌ１・・・３０Ｌｎを水底１６ＳＦに沈下させて、水底１６ＳＦに仮固定することとする。又、必要に応じて、先工程では閉鎖領域１６の沖側ＳＯ端から岸側ＳＬ端に至らない中間位置までの範囲を複数の大パネル３０Ｌ１・・・３０Ｌｎで覆い、後工程で、中間位置から岸側ＳＬに向けて以降のシートパネル３０Ｌｎ＋１・・・で覆う順番としてもよい。
【００４４】
又、本発明の実施の形態では、大パネル形成ステップから作業地盤回復ステップまでの各ステップを、１サイクルとして複数サイクル繰り返す前段階として、作業地盤２２を予め大パネル３０Ｌで覆っておくものである。この際、閉鎖領域１６に隣接する陸上ヤード２４において、遮水シートの原反３０から、大パネル３０Ｌよりも閉鎖領域１６の岸沿い方向ＡＳの幅が狭い単位パネル３０Ｍを形成して、この単位パネル３０Ｍを、複数、作業地盤２２上で閉鎖領域１６の岸沿い方向ＡＳの全幅に渡るように並べる。そして、作業地盤１６上で各単位パネル３０Ｍの隣接辺同士を接合して大パネル３０Ｌを形成することで、作業地盤２２を大パネルで覆うことが可能となる。
【００４５】
そして、作業地盤２２を覆う大パネル３０Ｌ上に、硬質パネル２６および摩擦低減シート２７を設置することで、上述した大パネル形成ステップに先立ち、遮水シートの原反３０から、閉鎖領域１６の岸沿い方向ＡＳの全幅に渡りかつ沖方向に所定長を有する遮水シートの大パネルを形成する際に必要となる、加圧溶着に適した硬質パネル２６および摩擦低減シート２７で、作業地盤２２を覆っておくものである。
かかる硬質パネル２６および摩擦低減シート２７が、作業地盤２２を覆う大パネル３０Ｌ上に設置されることで、大パネル形成ステップでは、大パネル相当の広範囲にわたる硬質パネル２６上で、遮水シートの原反３０から、閉鎖領域１６の岸沿い方向ＡＳの全幅に渡りかつ沖方向ＳＯに所定長を有する、遮水シートの大パネル３０Ｌを形成することが可能となる。作業地盤２２上に硬質パネル２６が設置されている限り、作業地盤２２上での遮水シートの接合作業は、閉鎖領域１６の岸沿い方向ＡＳの全幅に渡り、効率的に行うことが可能となる。
【００４６】
なお、作業地盤２２を覆う大パネル３０Ｌ上に敷砂を施した後、硬質パネル２６により大パネル３０Ｌを覆うことで、この大パネル３０Ｌが硬質パネル２６によって破損されることを、敷き砂により回避することが可能となる。
又、硬質パネル２６を摩擦低減シート２７で覆うことで、大パネル相当の広範囲にわたる硬質パネル２６上で、遮水シートの原反３０から、閉鎖領域１６の岸沿い方向ＡＳの全幅に渡りかつ沖方向ＳＯに所定長を有する遮水シートの大パネル３０Ｌを形成する際の、一定幅の帯状のシート３０Ｓ同士の接合箇所を重ね合わせるための位置合わせを容易とし、作業性を高めることができる。
【００４７】
そして、大パネル形成ステップから、作業地盤回復ステップまでの各ステップにより作成された大パネル３０Ｌ１・・・３０Ｌｎのうち、最も岸寄りに位置する大パネル３０Ｌｎの岸側端縁を、作業地盤２２を覆う大パネル３０Ｌの沖側端縁と接合することで、最終的に、閉鎖領域１６全体のうち、水底１６ＳＦ及び作業地盤２２に対し、遮水シートの敷設が必要な範囲を覆うことが可能な面積を有する、一体の遮水シートパネル３０Ｕを形成することが可能となる。
【００４８】
図１１（ａ）には、本発明の実施の形態に係る、一体の遮水シートパネル３０Ｕを構成する、大パネル３０Ｌ１・・・３０Ｌｎ及び３０Ｌの、各大パネル間の水上１６Ｗでの接合線ＪＬＸを模式的に示している。又、図１１（ｂ）には、比較例として、単位パネル３０Ｍを接合することによって形成された、一体の遮水シートパネル３０Ｕ’の、各単位パネル間の水上１６Ｗでの接合線ＪＬＸ、ＪＬＹを模式的に示している。
図１１（ａ）に示される、本発明の実施の形態に係る一体の遮水シートパネル３０Ｕは、各大パネル３０Ｌ１・・・３０Ｌｎの接合線ＪＬＸに係る接合作業を、水面上で、岸沿い方向ＡＳの全幅に渡りｎライン行って得られるものである。これに対し、図１１（ｂ）に示される、参考例に係る一体の遮水シートパネル３０Ｕ’は、水面上での、各単位パネル３０Ｍの岸側ＳＬから沖側ＳＯへの接合線ＪＬＹの接合作業も、加わることとなる。水面上での接合作業は、気中の作業地盤上での接合作業と比較して非効率であり、気象条件や海象条件の如何によっては更に効率が低下するものである。
【００４９】
例えば、岸沿い方向ＡＳの長さ３００ｍであり陸側ＳＬから沖側ＳＯに向かう方向の長さが６００ｍの、一体の遮水シートパネル３０Ｕ、３０Ｕ’の比較において、岸沿い方向ＡＳの接合線ＪＬＸが１１ライン、岸側ＳＬから沖側ＳＯへの接合線ＪＬＹの接合作業が９ラインであった場合、図１１（ａ）に示される、一体の遮水シートパネル３０Ｕを得るための接合線ＪＬＸの延べ長さは３，３００ｍであるのに対し、図１１（ｂ）に示される、一体の遮水シートパネル３０Ｕ’を得るための接合線ＪＬＸ及びＪＬＹの延べ長さは８，７００ｍｍとなる。しかも、作業地盤上での接合作業は１日あたり例えば１４０ｍ程度進むとすると、水面上での接合作業は１日あたり例えば４０ｍ程度と非効率となる。このため、図１１（ａ）に示される、一体の遮水シートパネル３０Ｕの水上１６Ｗでの接合作業は、３３００ｍ／４０ｍ＝８２．５日で完了するのに対し、図１１（ｂ）に示される、一体の遮水シートパネル３０Ｕ’は、２１７．５日となる。
しかも、前述のごとく、水面１６Ｗ上での各大パネル３０Ｌ１・・・３０Ｌ６の接合作業は、大パネル移動ステップによって、既に送り込まれた大パネル３０Ｌｎと隣接する位置に新たな大パネル３０Ｌｎ＋１を移動させる度に行われ、かつ、大パネル形成ステップにおける、作業地盤上２２での大パネル３０Ｌｎの形成作業と並行して行われることから、水上での接合作業班数を同じとした場合での、本発明の実施の形態に係る遮水シートの敷設方法による、遮水シートの敷設作業の時間短縮効果は明らかである。
【００５０】
なお、本発明の実施の形態では、管理型海面処分場の施工現場において、遮水シートを施工する場合を例示して説明したが、これと同様に、遮水シートの敷設面積が広大であり、遮水シート敷設部の水位を上昇や下降する管理できる場合での遮水シートの接合作業に相当の工数と時間とを要する施設において、本発明が同様に適用可能であることは、理解されるであろう。
【符号の説明】
【００５１】
１０：管理型海面処分場、１２：原地盤、１２ａ：沖寄りの水深が深い範囲の原地盤、１４：隔壁、１６：閉鎖領域、１６ＳＦ：水底、１６Ｗ：水面、２０：土砂、２２：作業地盤、２４：陸上ヤード、２６：硬質パネル、２７：摩擦低減シート、２８：浮遊手段、３０：遮水シートの原反、３０Ｓ：一定幅の帯状のシート、３０Ｍ：単位パネル、３０Ｌ、３０Ｌ１・・・３０Ｌｎ：大パネル、３０Ｕ：一体の遮水シートパネル
【図１】
2019100131.tif 000003
【図２】
2019100131.tif 000004
【図３】
2019100131.tif 000005
【図４】
2019100131.tif 000006
【図５】
2019100131.tif 000007
【図６】
2019100131.tif 000008
【図７】
2019100131.tif 000009
【図８】
2019100131.tif 000010
【図９】
2019100131.tif 000011
【図１０】
2019100131.tif 000012
【図１１】
2019100131.tif 000013